(57)【要約】【課題】  通信ネットワークを利用することにより、放送局外の端末から、端末の種類に関わらず、放送用コンテンツの内容を確認することができる放送用コンテンツの確認システム、方法、およびプログラムを提供すること。【解決手段】  実施形態の放送用コンテンツ確認システムは、放送用コンテンツの内容を、端末を用いて確認するためのシステムであって、放送用コンテンツを、通信ネットワークを介した閲覧に適したフォーマットへ変換するトランスコーダと、変換された放送用コンテンツを、端末の種類に関わらず、端末による通信ネットワークを介した閲覧を可能としたコンテンツサーバとを備える。【選択図】図１
2018046408.tif 000002
【特許請求の範囲】
【請求項１】
放送用コンテンツの内容を、端末を用いて確認するためのシステムであって、
前記放送用コンテンツを、通信ネットワークを介した閲覧に適したフォーマットへ変換するトランスコーダと、
前記変換された放送用コンテンツを、前記端末の種類に関わらず、前記端末による前記通信ネットワークを介した閲覧を可能としたコンテンツサーバと、
を備える放送用コンテンツ確認システム。
【請求項２】
前記コンテンツサーバは、前記放送用コンテンツの内容の確認の結果を、前記通信ネットワークを介して受信する、請求項１に記載の放送用コンテンツ確認システム。
【請求項３】
前記変換される放送用コンテンツを記憶するストレージをさらに備え、
前記ストレージに記憶された放送用コンテンツのうち、前記確認の結果、合格とされた放送用コンテンツのみを、オンエア可能とした、請求項２に記載の放送用コンテンツ確認システム。
【請求項４】
放送用コンテンツの内容を、端末を用いて確認するための方法であって、
前記放送用コンテンツを、通信ネットワークを介した閲覧に適したフォーマットへ変換し、
前記変換された放送用コンテンツを、サーバにおいて、前記端末の種類に関わらず、前記端末による前記通信ネットワークを介した閲覧を可能とし、
前記通信ネットワークを介して前記端末から前記サーバにアクセスし、前記端末において、前記放送用コンテンツを閲覧することによって、前記放送用コンテンツの内容を確認し、
前記確認の結果を、前記端末から、前記通信ネットワークを介して前記サーバへ送るようにした、放送用コンテンツ確認方法。
【請求項５】
前記確認の結果、合格とされた放送用コンテンツのみを、オンエア可能とした、請求項４に記載の放送用コンテンツ確認方法。
【請求項６】
放送用コンテンツの内容を、端末を用いて確認するためのプログラムであって、
前記放送用コンテンツを、通信ネットワークを介した閲覧に適したフォーマットへ変換する手順、
前記変換された放送用コンテンツを、前記端末の種類に関わらず、前記端末による前記通信ネットワークを介した閲覧を可能とする手順、
閲覧された放送用コンテンツについてなされた前記放送用コンテンツの内容の確認の結果を、前記端末から前記通信ネットワークを介して受信する手順、
をコンピュータに実行させるプログラム。
【請求項７】
前記確認の結果、合格とされた放送用コンテンツのみを、オンエア可能とする手順、をさらにコンピュータに実行させる請求項６に記載のプログラム。
【請求項８】
端末の種類に依存せず動作する言語で構築されたブラウザソフトを用いて、通信ネットワークを介してコンテンツサーバへアクセスし、前記コンテンツサーバによって提供される放送用コンテンツを、端末の種類に関わらず、閲覧することが可能なように構成された端末。
【発明の詳細な説明】
【技術分野】
【０００１】
本発明の実施形態は、放送用コンテンツの内容を確認するためのシステム、方法、端末、およびプログラムに関する。
【背景技術】
【０００２】
番組、ＣＭ、および番宣のような放送用コンテンツ（以下、単に「コンテンツ」と称する）は、放映前に、不良個所がないか、内容が適切であるか、登場人物が適切であるか等といった内容の確認を行う必要がある。
【０００３】
この種の確認は、現在、放送局内において、スタッフがコンテンツを実際に視聴することによって行われている。
【０００４】
この種の確認を行うために、従来は、例えば、ＭＸＦ（Ｍａｔｅｒｉａｌ  ｅＸｃｈａｎｇｅ  Ｆｏｒｍａｔ）フォーマットでストレージに記憶されたコンテンツを、放送局内において、オンエアされるものと同一の高画質で、プレビューモニタを用いて視聴することによってなされていた。
【０００５】
しかしながら、プレビューモニタは、コンテンツを高画質で表示することができるものの、高価である。また、ストレージに記憶されたコンテンツを、プレビューモニタまで伝送するためには、広帯域をカバーする同軸ケーブルを、ストレージからプレビューモニタまで敷設する必要もあり、相応する設備対応およびコストも発生してしまう。したがって、プレビューモニタは、安易に何台も設置できるものではなく、現実的には、放送局内に数台しか設置することができない。よって、プレビューモニタを用いた確認作業は、多くのスタッフが分担して、多くのコンテンツの内容を並行して確認するような作業には適さない。
【０００６】
そのため、放送局内では最近は、コンテンツを表示するために、高価なプレビューモニタではなく、廉価なＰＣを用いる運用にシフトしている。ただし、ＰＣからは、高画質のコンテンツをそのまま表示することはできないので、トランスコーダを用いて、例えばＭＸＦフォーマットを、例えばＭＰＥＧフォーマットのようにＰＣから表示可能なフォーマットへの変換がなされている。そして、トランスコーダに、何台ものＰＣが接続され、これら多くのＰＣからコンテンツが表示されるようにすることによって、多くのスタッフが分担して、多くのコンテンツの内容の確認作業を、並行して行うことが可能となっている。
【０００７】
なお、前述したように、ＰＣから表示されるＭＰＥＧフォーマットのような画像は、プレビューモニタから表示されるＭＸＦフォーマットのような画像よりも、画質は劣る。しかしながら、不良個所がないか、内容が適切であるか、登場人物が適切であるか等の確認のためであれば、オンエアと同等の高画質である必要は必ずしも無く、ＭＰＥＧフォーマットであっても、十分運用に足るものである。
【先行技術文献】
【特許文献】
【０００８】
【特許文献１】特開２０１５−２０７９０７号公報
【特許文献２】特開平１−２６５６７５号公報
【発明の概要】
【発明が解決しようとする課題】
【０００９】
このように、現在、放送局では、多数のＰＣからそれぞれコンテンツを表示することができるので、ストレージに記憶された多くのコンテンツを、多くのスタッフが分担して並行して確認作業をすることができる。しかしながら、これは、あくまで放送局内に限られている。
【００１０】
したがって、スタッフは、出張等により外出してしまうと、確認作業をすることができなくなるので、外出前に確認作業を完了させたり、また、外出時に確認作業が緊急発生した場合には、確認作業をするために放送局に戻る必要がある。
【００１１】
また、確認作業は、放送局のスタッフのみによってなされるとは限らず、スポンサーと一緒に行う場合もある。このような場合、スポンサーは、放送局へ出向く必要がある。
【００１２】
しかしながら、放送局外から、コンテンツの内容を、携帯可能な端末を用いて確認することができれば、スタッフは、外出先からであってもコンテンツの内容を確認することが可能となるし、あるいはスポンサーにわざわざ放送局まで来てもらわなくても、例えばスタッフがスポンサーの事業所を訪れ、そこで一緒に内容を確認することも可能となる。
【００１３】
さらには、この端末としては、専用のものではなく、スタッフが普段使い慣れているＰＣ、タブレット端末、スマートフォン等であれば、利便性も格段に向上するであろう。
【００１４】
本発明が解決しようとする課題は、通信ネットワークを利用することにより、放送局外の端末から、端末の種類に関わらず、放送用コンテンツの内容を確認することができる放送用コンテンツの確認システム、方法、端末およびプログラムを提供することである。
【課題を解決するための手段】
【００１５】
実施形態の放送用コンテンツ確認システムは、放送用コンテンツの内容を確認するためのシステムであって、放送用コンテンツを、通信ネットワークを介した閲覧に適したフォーマットへ変換するトランスコーダと、変換された放送用コンテンツを、端末の種類に関わらず、通信ネットワークを介した閲覧を可能としたコンテンツサーバとを備える。
【図面の簡単な説明】
【００１６】
【図１】本発明の実施形態の放送用コンテンツ確認システムが適用されるシステム環境を例示するブロック図である。
【図２】本発明の実施形態の放送用コンテンツ確認システムの構成例を示すブロック図である。
【図３】端末においてコンテンツリストおよびＰＶ（プレビュー）状態設定欄が表示された画面表示例を示す模式図である。
【図４】本発明の実施形態の放送用コンテンツ確認方法が適用された放送用コンテンツ確認システムの動作を示すフローチャートである。
【発明を実施するための形態】
【００１７】
以下に、本発明の実施形態の放送用コンテンツ確認方法が適用された放送用コンテンツ確認システムを、図面を参照して説明する。
【００１８】
図１は、本発明の実施形態の放送用コンテンツ確認システム１０が適用されるシステム環境を例示するブロック図である。
【００１９】
図２は、本発明の実施形態の放送用コンテンツ確認システム１０の構成例を示すブロック図である。
【００２０】
放送用コンテンツ確認システム１０は、営業放送システム１００とともに放送局内に設けられ、図１に示すように、営業放送システム１００から、放送用の番組、番宣、およびＣＭのようなコンテンツを受け取り、これらコンテンツを、端末１２０の種類に関わらず、通信ネットワーク１１０を介した閲覧に適したフォーマットへ変換し、放送局外の端末１２０が、通信ネットワーク１１０を介して閲覧できるようにする。端末１２０は、例えばＨＴＭＬ５のように、端末の種類に依存せず動作する言語で構築されたユーザーインターフェースを用いて、通信ネットワーク１１０を介して、放送用コンテンツ確認システム１０にブラウザ経由でアクセスし、コンテンツを閲覧、視聴して、その内容を確認する。そして、確認の結果を、放送用コンテンツ確認システム１０へ返す。そして、放送用コンテンツ確認システム１０では、確認の結果、合格とされたコンテンツのみが、オンエアされるように処理される。
【００２１】
このために、放送用コンテンツ確認システム１０は、図２に示すように、制御ＣＰＵ  １２と、端末１４と、記録再生サーバ１６と、トランスコーダ１８と、コンテンツサーバ２０とを備えている。
【００２２】
制御ＣＰＵ  １２は、営業放送システム１００から送られるコンテンツの種類に応じて、番組用制御ＣＰＵ  １２ａと、ＣＭ用制御ＣＰＵ  １２ｂと、番宣用制御ＣＰＵ  １２ｃとの３つがある。番組用制御ＣＰＵ  １２ａは、営業放送システム１００から送られる番組コンテンツを取り扱い、ＣＭ用制御ＣＰＵ  １２ｂは、営業放送システム１００から送られるＣＭコンテンツを取り扱い、番宣用制御ＣＰＵ  １２ｃは、営業放送システム１００から送られる番宣コンテンツを取り扱う。一般に、営業放送システム１００から送られるコンテンツのフォーマットには、ＭＸＦフォーマットが用いられる。
【００２３】
各制御ＣＰＵ  １２には、複数の端末１４が接続されている。例えば、番組用制御ＣＰＵ  １２ａには、ｎ台の端末１４ａ（＃１）〜（＃ｎ）が接続されており、スタッフが、これら端末１４ａ（＃１）〜（＃ｎ）のうちの何れかを使用することによって、番組用制御ＣＰＵ  １２ａに対して、必要な操作入力を送ることができる。同様に、スタッフは、端末１４ｂを使用することによって、ＣＭ用制御ＣＰＵ  １２ｂに対して必要な操作入力を送ることができ、端末１４ｃを使用することによって、番宣用制御ＣＰＵ  １２ｃに対して必要な操作入力を送ることができる。
【００２４】
各制御ＣＰＵ  １２にはまた、それぞれ３台の記録再生サーバ１６が接続されている。各記録再生サーバ１６は、営業放送システム１００から制御ＣＰＵ  １２へ送られたコンテンツを加工することなく記録するためのサーバであり、１台がメインで使用され、他の２台はバックアップとして使用される。制御ＣＰＵ  １２から記録再生サーバ１６への記録は、自動的または端末１４を介してなされる。端末１４を介してなされる場合、端末１４から制御ＣＰＵ  １２へと、コンテンツの記録指示がなされる。すると、制御ＣＰＵ  １２は、指示されたコンテンツを、３台の記録再生サーバ１６へと同時に記録する。これによって、３台の記録再生サーバ１６には、同じコンテンツが記録される。また、記録時には、加工されないことから、３台の記録再生サーバ１６には、営業放送システム１００から送られたときと同じ高画質のフォーマット（例えば、ＭＸＦフォーマット）で記録される。また、各記録再生サーバ１６（＃１）〜（＃３）は、記録されたコンテンツの内容に応じて、図３中に例示されているようなコンテンツリストＬを作成する。
【００２５】
例えば、営業放送システム１００から、番組コンテンツが送られた場合、番組用制御ＣＰＵ  １２ａが受信し、番組コンテンツが、対応する３台の記録再生サーバ１６ａ（＃１）〜（＃３）のそれぞれに記録される。営業放送システム１００から、ＣＭコンテンツが送られた場合、ＣＭ用制御ＣＰＵ  １２ｂが受信し、ＣＭコンテンツが、対応する３台の記録再生サーバ１６ｂ（＃１）〜（＃３）のそれぞれに記録される。営業放送システム１００から、番宣コンテンツが送られた場合、番宣用制御ＣＰＵ  １２ｃが受信し、番宣コンテンツが、対応する３台の記録再生サーバ１６ｃ（＃１）〜（＃３）のそれぞれに記録されるという具合である。このような記録再生サーバ１６には、（株）東芝製のＶＩＤＥＯＳ  ｎｅｏ（登録商標）が好適である。
【００２６】
トランスコーダ１８は、記録再生サーバ１６に記録されたコンテンツを、通信ネットワーク１１０を介した閲覧に適したフォーマットへ変換するものであり、コンテンツの種類に応じて１台ずつ、すなわち放送用コンテンツ確認システム１０全体では３台存在する。すなわち、トランスコーダ１８ａは、番組コンテンツ用のものであり、番組コンテンツ用の３台の記録再生サーバ１６ａ（＃１）〜（＃３）に接続されている。トランスコーダ１８ｂは、ＣＭコンテンツ用のものであり、ＣＭコンテンツ用の３台の記録再生サーバ１６ｂ（＃１）〜（＃３）に接続されている。トランスコーダ１８ｃは、番宣コンテンツ用のものであり、番宣コンテンツ用の３台の記録再生サーバ１６ｃ（＃１）〜（＃３）に接続されている。
【００２７】
通信ネットワーク１１０は、例えばインターネットである。したがって、以下では、通信ネットワーク１１０がインターネットである場合の例について説明するが、通信ネットワーク１１０はインターネットに限定されるものではない。
【００２８】
記録再生サーバ１６に記録されているコンテンツは、例えばＭＸＦフォーマットのような高品質のデータであり、データ量が膨大であるので、インターネットのような通信ネットワーク１１０を介した閲覧、視聴には適さない。このため、トランスコーダ１８は、例として、インターネットによる閲覧、視聴に適したＭＰＥＧフォーマットにコンテンツを変換し、コンテンツサーバ２０へ送る。なお、トランスコーダ１８によって変換されるコンテンツは、ＭＰＥＧフォーマットに限定されるものではない。
【００２９】
すなわち、トランスコーダ１８ａは、記録再生サーバ１６ａ（＃１）からＭＸＦフォーマットの番組コンテンツを受け取り、ＭＰＥＧフォーマットに変換して、コンテンツサーバ２０ａへ送る。記録再生サーバ１６ａ（＃１）が故障している場合、記録再生サーバ１６ａ（＃２）からＭＸＦフォーマットの番組コンテンツを受け取り、例えばＭＰＥＧフォーマットに変換して、コンテンツサーバ２０ａへ送る。さらに記録再生サーバ１６ａ（＃１）に加えて記録再生サーバ１６ａ（＃２）も故障している場合、記録再生サーバ１６ａ（＃３）からＭＸＦフォーマットの番組コンテンツを受け取り、例えばＭＰＥＧフォーマットに変換して、コンテンツサーバ２０ａへ送る。
【００３０】
同様に、トランスコーダ１８ｂは、記録再生サーバ１６ｂからＭＸＦフォーマットのＣＭコンテンツを受け取り、例えばＭＰＥＧフォーマットに変換して、コンテンツサーバ２０ｂへ送る。トランスコーダ１８ｃは、記録再生サーバ１６ｃからＭＸＦフォーマットの番宣コンテンツを受け取り、例えばＭＰＥＧフォーマットに変換して、コンテンツサーバ２０ｃへ送る。
【００３１】
コンテンツサーバ２０は、トランスコーダ１８から送られたＭＰＥＧフォーマットのコンテンツを、通信ネットワーク１１０を介して端末１２０が閲覧できるようにするものであり、コンテンツの種類に応じて１台ずつ、すなわち放送用コンテンツ確認システム１０全体では３台存在する。
【００３２】
これによって、端末１２０は、例えばＨＴＭＬ５のように端末の種類に依存せず動作する言語で構築されたユーザーインターフェースを用いて、通信ネットワーク１１０を介してコンテンツサーバ２０ａにブラウザ経由でアクセスすることによって、端末１２０の種類に関わらず、トランスコーダ１８ａからコンテンツサーバ２０ａへ送られたＭＰＥＧフォーマットの番組コンテンツを閲覧、視聴できるようになる。同様に、端末１２０は、端末１２０の種類に関わらず、通信ネットワーク１１０を介してコンテンツサーバ２０ｂへアクセスすることによって、トランスコーダ１８ｂからコンテンツサーバ２０ｂへ送られたＭＰＥＧフォーマットのＣＭコンテンツを閲覧、視聴できるようになり、通信ネットワーク１１０を介してコンテンツサーバ２０ｃにアクセスすることによって、トランスコーダ１８ｃからコンテンツサーバ２０ｃへ送られたＭＰＥＧフォーマットの番宣コンテンツを閲覧、視聴できるようになる。
【００３３】
前述したように、端末１２０は、その種類を制限されないことから、例えばＰＣ、タブレット端末、スマートフォン等を端末１２０として用いることが可能である。したがって、スタッフは、外出先からであっても、自分の普段使い慣れている端末からコンテンツサーバ２０へアクセスすることによって、コンテンツを閲覧、視聴することによって、コンテンツの内容を確認することができる。端末１２０はさらには、確認結果を、コンテンツサーバ２０へ返すこともできる。例えば、コンテンツに、不良個所があったり、不適切な内容が含まれていたり、不適切な人物が登場している場合には、「不合格」との結果を、コンテンツサーバ２０へ送る。不良個所も無く、内容も適切であり、登場人物も適切である場合には、「合格」との結果を、コンテンツサーバ２０へ送る。
【００３４】
コンテンツサーバ２０は、「合格」または「不合格」である結果を、端末１２０から受信すると、この結果を、対応する制御ＣＰＵ  １２へ送る。この結果に基づいて、スタッフは、端末１４を操作することによって、記録再生サーバ１６に記録されている、対応するコンテンツのオンエア可能／不可能を設定する。
【００３５】
その後の処理を、端末１２０においてコンテンツリストＬおよびＰＶ（プレビュー）状態設定欄Ｓが表示された画面表示例を示す模式図である図３を用いて説明する。
【００３６】
例えば、端末１２０が、コンテンツサーバ２０ａにアクセスして、番組コンテンツＡを閲覧、視聴し、「合格」との確認結果を返してきた場合、スタッフは、図３に例示されるような、記録再生サーバ１６に記録されているコンテンツリストＬの一覧から、番組コンテンツＡを選択する。さらに、ＰＶ（プレビュー）状態設定欄ＳのＯＫ欄Ｓ３をマウス等によって押圧する。これによって、番組コンテンツＡの各種プレビューＬ１０Ａにおける「考査欄」が「ＯＫ」と設定され、番組用制御ＣＰＵ  １２ａは、記録再生サーバ１６ａ（＃１）〜（＃３）に記録されている番組コンテンツＡをオンエア可能として設定する。
【００３７】
コンテンツリストＬは、限定される訳ではないが、コンテンツ毎に、各種プレビューＬ１０の他に、コンテンツのサムネールであるファーストカットＬ１、コンテンツの識別番号である素材ＩＤ  Ｌ２、再生時間である素材長Ｌ３、スポンサー名／番組名および素材内容Ｌ４、送信元Ｌ５、音声モード（映像モード／３Ｄ放送）Ｌ６、データ放送（字幕）Ｌ７、ＰＲ区分（１０桁ＣＭコード）Ｌ８、ファイリング日（登録担当者）Ｌ９といった諸項目を有している。
【００３８】
一方、端末１２０が、コンテンツサーバ２０ａにアクセスして、番組コンテンツＢを閲覧、視聴し、「不合格」との確認結果を返してきた場合、スタッフは、図３に例示されるような、記録再生サーバ１６に記録されているコンテンツリストＬの一覧から、番組コンテンツＢを選択する。さらに、ＰＶ（プレビュー）状態設定欄ＳのＮＧ欄Ｓ３をマウス等によって押圧する。これによって、番組コンテンツＢの各種プレビュー欄Ｌ１０Ｂにおける「考査欄」が「ＮＧ」と設定され、番組用制御ＣＰＵ  １２ａは、記録再生サーバ１６ａ（＃１）〜（＃３）に記録されている番組コンテンツＢをオンエア不可として設定する。この結果は、営業放送システム１００へフィードバックされ、営業放送システム１００において、番組コンテンツＢの撮り直しや修正等がなされる。
【００３９】
なお、図３に例示されるＰＶ（プレビュー）状態設定欄Ｓには、コンテンツがプレビューされていない状態を示す未ＰＶ欄Ｓ１も設けられている。従って、スタッフは、端末１４を操作することにより、コンテンツリストＬの一覧から所望のコンテンツ（例えば、コンテンツＣ）を選択し、未ＰＶ欄Ｓ１をマウス等によって押圧することによって、コンテンツＣを未プレビューとして設定することができる。あるいは、すべてのコンテンツは、記録再生サーバ１６に記録された時点に、各種プレビュー欄Ｌ１０における「考査欄」が、デフォルトとして、未プレビューを意味する「未」と設定されるようにしても良い。
【００４０】
なお、コンテンツの内容の確認は、端末１４によっても行うことができる。そのために、端末１４からは、図３に例示されているように、再生機能アイコンＶと、表示画面Ｗも表示されている。スタッフは、コンテンツリストＬの一覧から、所望のコンテンツを選択し、再生機能アイコンＶを適宜使用することによって、表示画面Ｗからこのコンテンツを表示することができる。そして、この表示を視聴することによって、コンテンツの内容を確認し、合格であれば、ＰＶ（プレビュー）状態設定欄ＳのＯＫ欄Ｓ３をマウス等によって押圧し、不合格であれば、ＮＧ欄Ｓ２をマウス等によって押圧することによって、オンエアの可／不可を設定することができる。
【００４１】
次に、以上のように構成した本発明の実施形態の放送用コンテンツ確認方法が適用された放送用コンテンツ確認システムの動作を図４に示すフローチャートを用いて説明する。
【００４２】
放送用コンテンツ確認システム１０は前述したように、番組コンテンツと、ＣＭコンテンツと、番宣コンテンツとのそれぞれに対して、制御ＣＰＵ  １２、記録再生サーバ１６、トランスコーダ１８、およびコンテンツサーバ２０を独立して有しており、番組コンテンツと、ＣＭコンテンツと、番宣コンテンツとのそれぞれに対して独立して処理できるような構成となっている。番組コンテンツ、ＣＭコンテンツ、および番宣コンテンツを取り扱う場合の動作は、同じであるので、以下では、図４のフローチャートを用いて、代表的に、番組コンテンツを取り扱う場合における動作を例にとって説明する。
【００４３】
まず、営業放送システム１００から、例えばＭＸＦフォーマットのような高品質の番組コンテンツ（コンテンツＡ）が放送用コンテンツ確認システム１０へ送られる（Ｓ１）と、このコンテンツＡは、番組用制御ＣＰＵ  １２ａによって受信され、さらに、端末１４ａからの記録指示にしたがって、あるいは自動的に、番組用制御ＣＰＵ  １２ａから、３台の記録再生サーバ１６ａ（＃１）〜（＃３）へそれぞれＭＸＦフォーマットのまま記録される（Ｓ２）。３台の記録再生サーバ１６ａ（＃１）〜（＃３）のうち、１台がメインで使用され、他の２台はバックアップとして使用される。
【００４４】
そして、３台の記録再生サーバ１６ａ（＃１）〜（＃３）ではそれぞれ、コンテンツＡの内容に応じて、図３に例示するようなコンテンツリストＬが作成される（Ｓ３）。
【００４５】
記録再生サーバ１６ａ（＃１）に記録されたコンテンツＡは、トランスコーダ１８ａへ送られる。なお、記録再生サーバ１６ａ（＃１）が故障している場合には、記録再生サーバ１６ａ（＃１）に記録されたコンテンツＡがトランスコーダ１８ａへ送られ、記録再生サーバ１６ａ（＃２）も故障している場合には、記録再生サーバ１６ａ（＃３）に記録されたコンテンツＡがトランスコーダ１８ａへ送られる。トランスコーダ１８ａでは、コンテンツＡが、ＭＸＦフォーマットから、例えばインターネットのような通信ネットワーク１１０を介した閲覧に適した例えばＭＰＥＧフォーマットのフォーマットに変換される（Ｓ４）。変換されたコンテンツＡは、トランスコーダ１８ａからコンテンツサーバ２０ａへ送られる。
【００４６】
これによって、端末１２０は、例えばＨＴＭＬ５で構築されているブラウザソフトを用いて、通信ネットワーク１１０を介してコンテンツサーバ２０ａにアクセスすることによって、端末１２０の種類に関わらず、トランスコーダ１８ａからコンテンツサーバ２０ａへ送られたＭＰＥＧフォーマットのコンテンツＡを閲覧できるようになる。前述したように、端末１２０は、その種類を制限されないことから、例えばＰＣ、タブレット端末、スマートフォン等を端末１２０として用いることが可能である。したがって、スタッフは、外出先からであっても、自分の普段使い慣れている端末からコンテンツサーバ２０ａへアクセスすることによって、コンテンツＡを閲覧、視聴し、その内容を確認することができる。
【００４７】
スタッフが端末１２０を介してコンテンツＡを確認した結果（Ｓ５）、コンテンツＡに、不良個所があったり、不適切な内容が含まれていたり、不適切な人物が登場している場合（Ｓ６：Ｎｏ）には、「不合格」との結果を、コンテンツサーバ２０ａへ送る。不良個所も無く、内容も適切であり、登場人物も適切である場合（Ｓ６：Ｙｅｓ）には、「合格」との結果を、コンテンツサーバ２０ａへ送る。
【００４８】
「合格」または「不合格」である結果は、コンテンツサーバ２０ａによって受信され、コンテンツサーバ２０ａから、番組用制御ＣＰＵ  １２ａへ送られる。この結果に基づいて、スタッフによって端末１４が操作され、記録再生サーバ１６に記録されているコンテンツＡのオンエア可能／不可能が設定される。
【００４９】
例えば、結果が「合格」であった場合（Ｓ６：Ｙｅｓ）、スタッフによって端末１４が操作され、図３に例示されるような、記録再生サーバ１６に記録されているコンテンツリストＬの一覧から、コンテンツＡが選択される（Ｓ７）。さらに、ＰＶ（プレビュー）状態設定欄ＳのＯＫ欄Ｓ３がマウス等による押圧によって選択される。これによって、番組コンテンツＡの各種プレビューＬ１０Ａにおける「考査欄」が「ＯＫ」と設定され、記録再生サーバ１６ａ（＃１）〜（＃３）に記録されている番組コンテンツＡは、オンエア可能として設定される（Ｓ８）。
【００５０】
一方、結果が「不合格」であった場合（Ｓ６：Ｎｏ）、スタッフによって端末１４が操作され、図３に例示されるような、記録再生サーバ１６に記録されているコンテンツリストＬの一覧から、コンテンツＡが選択される（Ｓ９）。さらに、ＰＶ（プレビュー）状態設定欄ＳのＮＧ欄Ｓ３がマウス等による押圧によって選択される。これによって、番組コンテンツＢの各種プレビュー欄Ｌ１０Ｂにおける「考査欄」が「ＮＧ」と設定され、記録再生サーバ１６ａ（＃１）〜（＃３）に記録されているコンテンツＡは、オンエア不可として設定される（Ｓ１０）。この結果は、営業放送システム１００へフィードバックされ、営業放送システム１００において、コンテンツＡの撮り直しや修正等がなされる。
【００５１】
上述したように、本実施形態の放送用コンテンツ確認方法が適用された放送用コンテンツ確認システムにおいては、上記のような作用により、スタッフは、放送局外からであっても、端末１２０を、インターネットのような通信ネットワーク１１０に接続することによって、コンテンツの内容を閲覧、視聴することができる。これによって、スタッフは、外出先からであってもコンテンツの内容を確認することが可能となる。あるいは、スポンサーとともにコンテンツの内容を確認する場合、スポンサーにわざわざ放送局まで来てもらわなくても、例えばスタッフがスポンサーの事業所を訪れ、そこで一緒に確認することも可能となるなど、放送局とスポンサーとの双方に対して利便性を高めることが可能となる。しかも、端末１２０は、種類を制限されないので、スタッフは、自分の普段使い慣れているＰＣ、タブレット端末、スマートフォン等を端末１２０として使用することが可能である。
【００５２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５３】
１０  放送用コンテンツ確認システム、１４  端末、１６  記録再生サーバ、１８  トランスコーダ、２０  コンテンツサーバ、１００  営業放送システム、１１０  通信ネットワーク、１２０  端末。
【図１】
2018046408.tif 000003
【図２】
2018046408.tif 000004
【図３】
2018046408.tif 000005
【図４】
2018046408.tif 000006